(57)【要約】【課題】太陽電池の反りを抑制し、信頼性の高い太陽電池モジュールを提供する。【解決手段】太陽電池モジュール１は、複数の第１太陽電池Ｃ１１〜Ｃ１ｍを第１方向に沿って配列することにより形成される第１太陽電池群Ｇ１と、複数の第２太陽電池Ｃ２１〜Ｃ２ｍを第１方向に沿って配列することにより形成される第２太陽電池群Ｇ２とを備え、第１太陽電池群Ｇ１の一端に位置する第１接続用太陽電池と、第２太陽電池群の一端に位置する第２接続用太陽電池とは、第１方向に略直交する第２方向に沿って並んで配置されており、第１接続用太陽電池が有する一本のバスバー電極２２と、第２接続用太陽電池が有する一本のバスバー電極２２とは、導電性の配線材によって電気的に接続されている。【選択図】図１
2008270619.tif 000002
【特許請求の範囲】
【請求項１】
複数の第１太陽電池を第１方向に沿って配列することにより形成される第１太陽電池群と、複数の第２太陽電池を前記第１方向に沿って配列することにより形成される第２太陽電池群とを備える太陽電池モジュールであって、
前記第１太陽電池群と前記第２太陽電池群とは、前記第１方向に略直交する第２方向に沿って配置され、
前記複数の第１太陽電池のそれぞれは、
太陽光を受光する第１受光面と、
前記第１受光面の反対側に設けられた第１裏面と、
前記第１裏面上において前記第２方向に沿って形成された複数本の第１フィンガー電極と、
前記第１裏面上において前記第１方向に沿って形成された一本の第１バスバー電極とを有し、
前記複数の第２太陽電池のそれぞれは、
太陽光を受光する第２受光面と、
前記第２受光面の反対側に設けられた第２裏面と、
前記第２裏面上において前記第２方向に沿って形成された複数本の第２フィンガー電極と、
前記第２裏面上において前記第１方向に沿って形成された一本の第２バスバー電極とを有しており、
前記複数の第１太陽電池は、前記第１太陽電池群の一端に位置する第１接続用太陽電池を含み、
前記複数の第２太陽電池は、前記第２太陽電池群の一端に位置する第２接続用太陽電池を含んでおり、
前記第１接続用太陽電池と前記第２接続用太陽電池とは、前記第２方向に沿って並んで配置され、
前記第１接続用太陽電池が有する前記第１バスバー電極と、前記第２接続用太陽電池が有する前記第２バスバー電極とは、導電性の配線材によって電気的に接続されている
ことを特徴とする太陽電池モジュール。
【請求項２】
前記複数の第１太陽電池のうち一の第１太陽電池が有する前記第１裏面の極性は、前記一の第１太陽電池に隣接する他の第１太陽電池が有する前記第１裏面の極性と異なり、
前記複数の第２太陽電池のうち一の第２太陽電池が有する前記第２裏面の極性は、前記一の第２太陽電池に隣接する他の第２太陽電池が有する前記第２裏面の極性と異なっており、
前記第１接続用太陽電池が有する第１裏面の極性は、前記第２接続用太陽電池が有する前記第２裏面の極性と同じである
ことを特徴とする請求項１に記載の太陽電池モジュール。
【請求項３】
前記複数の第１太陽電池のうち一の第１太陽電池が有する前記第１裏面の極性は、前記一の第１太陽電池に隣接する他の第１太陽電池が有する前記第１裏面の極性と異なり、
前記複数の第２太陽電池のうち一の第２太陽電池が有する前記第２裏面の極性は、前記一の第２太陽電池に隣接する他の第２太陽電池が有する前記第２裏面の極性と異なっており、
前記第１接続用太陽電池が有する第１裏面の極性は、前記第２接続用太陽電池が有する前記第２裏面の極性と異なる
ことを特徴とする請求項１に記載の太陽電池モジュール。
【発明の詳細な説明】
【技術分野】
【０００１】
本発明は、複数の太陽電池を所定方向に沿って配列することにより形成される太陽電池群を複数備える太陽電池モジュールに関する。
【背景技術】
【０００２】
太陽電池は、クリーンで無尽蔵に供給される太陽光を直接電気に変換する。太陽電池は、新しいエネルギー源として期待されている。
【０００３】
太陽電池１枚当りの出力は数Ｗ程度である。従って、家屋やビル等の電源として太陽電池を用いる場合には、出力を１００Ｗ以上に高めた太陽電池モジュールが用いられる。具体的に、複数の太陽電池を所定の第１方向に配列することにより太陽電池ストリングを作製し、複数の太陽電池ストリングを第１方向に略直交する第２方向に沿って配列することにより太陽電池モジュールが作製される。
【０００４】
ここで、太陽光を受光する受光面と対向する裏面において、正負一対の裏面電極（裏面正電極と裏面負電極）が一対の櫛歯状に形成されたバックコンタクト型の太陽電池が知られている（例えば、特許文献１参照）。
【０００５】
このような太陽電池によれば、一の太陽電池ストリングに含まれる一の太陽電池の裏面正電極と、他の太陽電池ストリングに含まれる他の太陽電池の裏面負電極とに対して、導電性の配線材を熱接着することにより太陽電池ストリング同士の電気的接続が行われる。
【０００６】
具体的には、裏面正電極は、第１方向に沿って形成された複数の正フィンガー電極（櫛の歯部分）と、第２方向に沿って形成された正バスバー電極（櫛の根部分）とを含む。同様に、裏面負電極は、第１方向に沿って形成された複数の負フィンガー電極（櫛の歯部分）と、第２方向に沿って形成された負バスバー電極（櫛の根部分）とを含む。また、正負一対のバスバー電極のそれぞれは、同一の太陽電池ストリングに含まれる他の太陽電池との接続を行うために、裏面の端部に形成される。配線材は、一の太陽電池ストリングに含まれる一の太陽電池の正バスバー電極と、他の太陽電池ストリングに含まれる他の太陽電池の負バスバー電極に熱接着される。
【０００７】
従って、このような太陽電池では、配線材が第２方向に沿って形成されたバスバー電極に接着されるため、配線材と太陽電池との接着面積は大きい。
【特許文献１】特開２００５−１１８６９号公報（第９頁、図１０（ａ１））
【発明の開示】
【発明が解決しようとする課題】
【０００８】
ここで、配線材の線膨張係数は、太陽電池に用いられる半導体基板の線膨張係数よりも大きいため、熱接着後に配線材が収縮しようとする力が、配線材と太陽電池との界面に生じる。熱接着後に配線材が収縮しようとする力は、配線材が熱接着される面積が広いほど太陽電池に与える影響は大きく、このような収縮力によって太陽電池が反ってしまうという問題があった。
【０００９】
特に、このような太陽電池の反りは、製造コスト削減を目的とした太陽電池の薄型化が進むほど顕著に現れるため、太陽電池の薄型化の妨げとなっていた。
【００１０】
本発明は、上記の問題に鑑みてなされたものであり、太陽電池の反りを抑制し、信頼性の高い太陽電池モジュールを提供することを目的とする。
【課題を解決するための手段】
【００１１】
本発明の特徴は、複数の第１太陽電池を第１方向に沿って配列することにより形成される第１太陽電池群と、複数の第２太陽電池を前記第１方向に沿って配列することにより形成される第２太陽電池群とを備える太陽電池モジュールであって、前記第１太陽電池群と前記第２太陽電池群とは、前記第１方向に略直交する第２方向に沿って配置され、前記複数の第１太陽電池のそれぞれは、太陽光を受光する第１受光面と、前記第１受光面の反対側に設けられた第１裏面と、前記第１裏面上において前記第２方向に沿って形成された複数本の第１フィンガー電極と、前記第１裏面上において前記第１方向に沿って形成された一本の第１バスバー電極とを有し、前記複数の第２太陽電池のそれぞれは、太陽光を受光する第２受光面と、前記第２受光面の反対側に設けられた第２裏面と、前記第２裏面上において前記第２方向に沿って形成された複数本の第２フィンガー電極と、前記第２裏面上において前記第１方向に沿って形成された一本の第２バスバー電極とを有しており、前記複数の第１太陽電池は、前記第１太陽電池群の一端に位置する第１接続用太陽電池を含み、前記複数の第２太陽電池は、前記第２太陽電池群の一端に位置する第２接続用太陽電池を含んでおり、前記第１接続用太陽電池と前記第２接続用太陽電池とは、前記第２方向に沿って並んで配置され、前記第１接続用太陽電池が有する前記第１バスバー電極と、前記第２接続用太陽電池が有する前記第２バスバー電極とは、導電性の配線材によって電気的に接続されていることを要旨とする。
【００１２】
本発明の特徴によれば、太陽電池モジュールが備える第１及び第２太陽電池群は、第２方向に沿って配列され、第１及び第２太陽電池群を形成する第１及び第２太陽電池は、裏面上において第１方向に沿って形成された一本のバスバー電極をそれぞれ有する。第１接続用太陽電池が有する一本のバスバー電極と、第２接続用太陽電池が有する一本のバスバー電極とは、導電性の配線材によって電気的に接続される。
【００１３】
このように、配線材と第１又は第２接続用太陽電池とは、バスバー電極の１点のみで接続されているため、配線材とバスバー電極との接着面積を小さくすることができる。従って、熱接着後における配線材の収縮力が第１又は第２接続用太陽電池に与える影響を小さくすることができる。その結果、配線材とバスバー電極との接着面積が大きいことに起因する接続用太陽電池の反りを軽減することができる。
【００１４】
また、第１及び第２接続用太陽電池の裏面上にはバスバー電極が一本のみ形成され、配線材と第１又は第２接続用太陽電池とは、バスバー電極の１点のみで熱接着される。従って、配線材とバスバー電極との接着位置が離間していることに起因する第１及び第２接続用太陽電池の反りを軽減することができる。
【００１５】
本発明の特徴において、前記複数の第１太陽電池のうち一の第１太陽電池が有する前記第１裏面の極性は、前記一の第１太陽電池に隣接する他の第１太陽電池が有する前記第１裏面の極性と異なり、前記複数の第２太陽電池のうち一の第２太陽電池が有する前記第２裏面の極性は、前記一の第２太陽電池に隣接する他の第２太陽電池が有する前記第２裏面の極性と異なっており、前記第１接続用太陽電池が有する第１裏面の極性は、前記第２接続用太陽電池が有する前記第２裏面の極性と同じであってもよい。
【００１６】
本発明の特徴において、前記複数の第１太陽電池のうち一の第１太陽電池が有する前記第１裏面の極性は、前記一の第１太陽電池に隣接する他の第１太陽電池が有する前記第１裏面の極性と異なり、前記複数の第２太陽電池のうち一の第２太陽電池が有する前記第２裏面の極性は、前記一の第２太陽電池に隣接する他の第２太陽電池が有する前記第２裏面の極性と異なっており、前記第１接続用太陽電池が有する第１裏面の極性は、前記第２接続用太陽電池が有する前記第２裏面の極性と異なっていてもよい。
【発明の効果】
【００１７】
本発明によれば、太陽電池の反りを抑制し、信頼性の高い太陽電池モジュールを提供することができる。
【発明を実施するための最良の形態】
【００１８】
次に、図面を用いて、本発明の実施形態について説明する。以下の図面の記載において、同一又は類似の部分には、同一又は類似の符号を付している。ただし、図面は模式的なものであり、各寸法の比率等は現実のものとは異なることに留意すべきである。従って、具体的な寸法等は以下の説明を参酌して判断すべきものである。又、図面相互間においても互いの寸法の関係や比率が異なる部分が含まれていることは勿論である。
【００１９】
（太陽電池モジュールの概略構成）
図１及び図２を参照して、本発明の実施形態に係る太陽電池モジュール１の概略構成を説明する。図１は、太陽電池モジュール１の平面図である。図２は、太陽電池モジュール１の背面図である。
【００２０】
太陽電池モジュール１は、第１方向に沿って一直線に配列された所定数の太陽電池を電気的に接続した４つの太陽電池群（第１乃至第４太陽電池群Ｇ１〜Ｇ４）を備える。
【００２１】
第１乃至第４太陽電池群Ｇ１〜Ｇ４は、第１方向に略直交する第２方向に沿って並んで配置されている。第１太陽電池群Ｇ１と第２太陽電池群Ｇ２とは、並列配線材１１によって電気的に並列に接続されている。同様に、第３太陽電池群Ｇ３と第４太陽電池群Ｇ４とは、並列配線材１１によって電気的に並列に接続されている。第２太陽電池群Ｇ２と第３太陽電池群Ｇ３とは、直列配線材１２によって電気的に直列に接続されている。並列配線材１１及び直列配線材１２は、薄板状或いは縒り線状に成型された銅等の導電性材料により形成することができる。本実施形態では、並列配線材１１及び直列配線材１２は、一本の導電性材料から形成されている。なお、太陽電池群同士の接続については後説する。
【００２２】
まず、第１太陽電池群Ｇ１の構成について説明する。第１太陽電池群Ｇ１は、複数の第１太陽電池Ｃ１１〜Ｃ１ｍと、受光面側配線材１３と、裏面側配線材１４とを備える。なお、ｍは自然数を表す。
【００２３】
複数の第１太陽電池Ｃ１１〜Ｃ１ｍは、第１方向に沿って一直線状に配列されている。第１太陽電池Ｃ１１〜Ｃ１ｍのそれぞれは、太陽光を受光する第１受光面と、第１受光面の反対側に設けられた第１裏面と、第１裏面上において第２方向に沿って形成された複数本のフィンガー電極（不図示）と、第１裏面上において第１方向に沿って形成された一本のバスバー電極（不図示）とを有する。フィンガー電極とバスバー電極とについては、後説する。
【００２４】
第１受光面と第１裏面とは、正負一対の極性を有する。即ち、第１受光面の極性と第１裏面の極性とは異なっている。
【００２５】
図１に示すように、複数の第１太陽電池Ｃ１１〜Ｃ１ｍのうち一の第１太陽電池が有する第１受光面の極性は、一の第１太陽電池に隣接する他の第１太陽電池が有する第１受光面の極性と異なるように配列されている。
【００２６】
なお、図１では、正極の第１受光面を有する第１太陽電池に斜線を施して表し、負極の第１受光面を有する第１太陽電池を白抜きで表している。
【００２７】
受光面側配線材１３は、２つの第１太陽電池を電気的に直列に接続する導電性の配線材である。受光面側配線材１３は、隣接する２つの第１太陽電池の第１受光面を接続することにより、隣接する２つの第１太陽電池を電気的に直列に接続する。
【００２８】
具体的に、受光面側配線材１３は、第１太陽電池Ｃ１１の正極の第１受光面と、第１太陽電池Ｃ１２の負極の第１受光面とに接続されている。同様に、受光面側配線材１３は、第１太陽電池Ｃ１３の正極の第１受光面と、第１太陽電池Ｃ１４の負極の第１受光面とに接続されている。
【００２９】
このように、第１太陽電池群Ｇ１を電気的に直列に接続するために、受光面側配線材１３は、受光面側配線材１３によって接続された一組の第１太陽電池同士には接続されない。受光面側配線材１３によって接続された一組の第１太陽電池同士の接続は、裏面側配線材１４によって行う。
【００３０】
裏面側配線材１４は、２つの第１太陽電池Ｃ１１〜Ｃ１ｍを電気的に直列に接続する導電性の配線材である。裏面側配線材１４は、隣接する２つの第１太陽電池の裏面同士を接続することにより、隣接する２つの第１太陽電池を電気的に直列に接続する。具体的には、裏面側配線材１４は、第１太陽電池Ｃ１２の正極の第１裏面と、第１太陽電池Ｃ１３の負極の第１裏面とに接続されている。このように、裏面側配線材１４は、第１太陽電池群Ｇ１を電気的に直列に接続するために、受光面側配線材１３によって接続された一組の第１太陽電池同士を接続する。
【００３１】
第１太陽電池群Ｇ１の両端には、第２太陽電池群Ｇ２との電気的な接続をとるための第１接続用太陽電池を備える。図２の背面図に示すように、第１太陽電池群Ｇ１が有する第１接続用太陽電池は、第１太陽電池Ｃ１１及び第１太陽電池Ｃ１ｍの２つの太陽電池である。本実施形態では、第１太陽電池Ｃ１１及び第１太陽電池Ｃ１ｍのそれぞれの裏面に、並列配線材１１が電気的に接続されている。
【００３２】
第２乃至第４太陽電池群Ｇ２〜Ｇ４の構成は、上記の第１太陽電池群Ｇ１の構成と同様である。なお、本明細書では、第２太陽電池群Ｇ２を形成する太陽電池を第２太陽電池Ｃ２１〜Ｃ２ｍ、第３太陽電池群Ｇ３を形成する太陽電池を第３太陽電池Ｃ３１〜Ｃ３ｍ、第４太陽電池群Ｇ４を形成する太陽電池を第４太陽電池Ｃ４１〜Ｃ４ｍとしている。
【００３３】
（接続用太陽電池の構成とその接続）
次に、接続用太陽電池の構成と接続用太陽電池同士の接続とについて、図３及び図４を用いて説明する。図３は、図２のＡ部分の拡大図である。図４は、図３のＢ−Ｂ切断面に沿った断面図である。
【００３４】
図３に示すように、第１太陽電池群Ｇ１が有する第１接続用太陽電池としての第１太陽電池Ｃ１１と、第２太陽電池群Ｇ２が有する第２接続用太陽電池としての第２太陽電池Ｃ２１とは、第２方向に沿って並んで配置されている。
【００３５】
第１太陽電池Ｃ１１の裏面と第２太陽電池Ｃ２１の裏面とに、並列配線材１１を接続することにより、第１太陽電池群Ｇ１と第２太陽電池群Ｇ２とは電気的に並列接続されている。
【００３６】
第１太陽電池Ｃ１１は、光電変換部２０と、第１裏面上において第２方向に沿って形成された複数本のフィンガー電極２１と、第１裏面上において第１方向に沿って形成された一本のバスバー電極２２とを備える。第１裏面は、負の極性を有している。
【００３７】
光電変換部２０は、第１受光面側から光を受けてキャリアを生成する。キャリアとは、太陽光が光電変換部２０に吸収されることにより生成される一対の正孔と電子をいう。光電変換部２０は、一般的に用いられる太陽電池基板を基本構成として有している。負極の第１裏面を有する第１太陽電池Ｃ１１は、半導体基板を用いて作製することができる。
【００３８】
フィンガー電極２１は、光電変換部２０からキャリアを集電する集電電極である。図３に示すように、フィンガー電極２１は、第１裏面上において第２方向に沿って複数形成される。本実施形態では、フィンガー電極２１は、光電変換部２０の第１裏面全域にわたって、所定間隔のライン状に形成されている。フィンガー電極２１は、例えば、焼結型の導電性ペーストを焼成することにより、又は、熱硬化型の導電性ペーストを熱硬化することにより形成することができる。
【００３９】
バスバー電極２２は、複数のフィンガー電極２１からキャリアを集電する集電電極である。図３に示すように、バスバー電極２２は、第１裏面上において第１方向に沿って一本のみ形成される。本実施形態では、バスバー電極２２は、複数のフィンガー電極２１と交差するように、裏面中央に形成されている。バスバー電極２２は、例えば、焼結型の導電性ペーストや、熱硬化型の導電性ペーストにより形成することができる。
【００４０】
並列配線材１１は、バスバー電極２２に対して、半田等の導電性接着剤を介して熱接着される。即ち、バスバー電極２２と並列配線材１１とは、交差するように配置され、その交差点においてのみ熱接着される。
【００４１】
ここで、図４に示すように、光電変換部２０の第１受光面上においても複数のフィンガー電極２３と２本のバスバー電極２４とが形成されている。受光面上に形成されるフィンガー電極２３及びバスバー電極２４は、幅を狭く、かつ、高さを高く形成することにより、受光面積を確保しつつ、内部抵抗を小さく抑える必要がある。一方、裏面側においては、受光面積を確保しなければならないという要請がないため、フィンガー電極２１の本数を多く、また、幅を広く形成することができる。従って、本実施形態のように、バスバー電極２２を一本のみ形成する場合には、受光面側に形成するバスバー電極２４よりも幅を広く形成することができる。
【００４２】
第２太陽電池群Ｇ２が有する第２接続用太陽電池としての第２太陽電池Ｃ２１の構成は、上記の第１太陽電池Ｃ１１の構成と同じである。従って、第１太陽電池Ｃ１１の第１裏面と第２太陽電池Ｃ２１の第２裏面とは、ともに同じ負の極性を有している。即ち、第１太陽電池群Ｇ１と第２太陽電池群Ｇ２とは、電気的に並列に接続されている。
【００４３】
第１接続用太陽電池としての第１太陽電池Ｃ１１と、第２接続用太陽電池としての第２太陽電池Ｃ２１は、以上のような構成を有している。
【００４４】
一方、図２に示す第３太陽電池Ｃ３１のように、正極の裏面を有する太陽電池は、光電変換部２０がｐ型半導体基板を用いて作製されている。このような太陽電池であっても、ｐ型半導体基板が用いられている以外は、上述した第１太陽電池Ｃ１１や第２太陽電池Ｃ２１と同様の構成を有する。
【００４５】
（実施形態の変形例）
上記第１実施形態では、一部の太陽電池群を電気的に並列接続する場合について説明したが、本発明はこれに限定されない。本発明は、全ての太陽電池群を電気的に直列接続する場合においても適用することができる。
【００４６】
以下、上記第１実施形態との相違点について説明する。
【００４７】
図５は、変形例に係る太陽電池モジュール１の背面図である。
【００４８】
第１乃至第４太陽電池群Ｇ１〜Ｇ４は、直列配線材１２によって電気的に直列に接続されている。
【００４９】
従って、第１太陽電池群Ｇ１が有する第１接続用太陽電池としての第１太陽電池Ｃ１１と、第２太陽電池群Ｇ２が有する第２接続用太陽電池としての第２太陽電池Ｃ２１とは、互いに異なる極性の裏面を有している。
【００５０】
具体的には、第１太陽電池Ｃ１１の第１裏面は負の極性を有し、第２太陽電池Ｃ２１の裏面は正の極性を有する。
【００５１】
第１太陽電池Ｃ１１の第１裏面上に形成された一本のバスバー電極２２と、第２太陽電池Ｃ２１の第２裏面上に形成された一本のバスバー電極２２とは、直列配線材１２によって電気的に直列に接続されている。
【００５２】
以上のように、接続用太陽電池の全てが電気的に直列に接続されている以外は、上記第１実施形態と同様の構成を備えている。
【００５３】
（作用及び効果）
上記実施形態によれば、太陽電池モジュール１が備える複数の太陽電池群（第１乃至第４太陽電池群Ｇ１〜Ｇ４）は、第２方向に沿って配列されている。太陽電池群を形成する太陽電池は、裏面上において第１方向に沿って形成された一本のバスバー電極を有する。並列配線材１１又は直列配線材１２（以下、「配線材」という。）は、一の接続用太陽電池（例えば、第１太陽電池Ｃ１１）が有する一本のバスバー電極２２と、他の接続用太陽電池（例えば、第２太陽電池Ｃ２１）が有する一本のバスバー電極２２とに接続される。
【００５４】
このように、配線材は、バスバー電極２２と交差する１点のみで接続されており、配線材とバスバー電極２２との接着面積は小さい。従って、熱接着後における配線材の収縮力が接続用太陽電池に与える影響を小さくすることができる。
【００５５】
その結果、配線材とバスバー電極２２との接着面積が大きいことに起因する接続用太陽電池の反りを軽減することができる。
【００５６】
また、接続用太陽電池の裏面上にバスバー電極２２を二本形成し、二本のバスバー電極２２に配線材を熱接着する場合には、二本のバスバー電極２２間において配線材が収縮することにより接続用太陽電池に反りが生じるおそれがある。即ち、配線材とバスバー電極２２との接着面積の小さい場合であっても、接着位置が離間しているときには、配線材の収縮による接続用太陽電池の反りが生じやすい。
【００５７】
一方、上記実施形態によれば、接続用太陽電池の裏面上にはバスバー電極２２が一本のみ形成される。即ち、配線材は、バスバー電極２２と交差する１点のみで熱接着される。
【００５８】
従って、配線材とバスバー電極２２との接着位置が離間していることに起因する接続用太陽電池の反りを軽減することができる。
【００５９】
以上のように、接続用太陽電池の反りを軽減することにより、接続用太陽電池の割れ等を抑制し、信頼性の高い太陽電池モジュールを提供することができる。
【００６０】
（その他の実施形態）
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００６１】
例えば、上記実施形態では、太陽電池モジュール１が第１乃至第４太陽電池群Ｇ１〜Ｇ４を備えることとしたが、太陽電池モジュール１が備える太陽電池群の数に制限はない。
【００６２】
また、上記実施形態では、バスバー電極２２は第１方向に沿って形成されることとしたが、完全に平行である必要はない。同様に、上記実施形態では、フィンガー電極２１は第２方向に沿って形成されることとしたが、完全に平行である必要はない。
【図面の簡単な説明】
【００６３】
【図１】本発明の実施形態に係る太陽電池モジュール１の平面図である。
【図２】本発明の実施形態に係る太陽電池モジュール１の背面図である。
【図３】図２のＡ部分の拡大図である。
【図４】図３のＢ−Ｂ切断面に沿った断面図である。
【図５】本発明の実施形態の変形例に係る太陽電池モジュール１の背面図である。
【符号の説明】
【００６４】
１…太陽電池モジュール
１１…並列配線材
１２…直列配線材
１３…受光面側配線材
１４…裏面側配線材
２０…光電変換部
２１…フィンガー電極
２２…バスバー電極
２３…フィンガー電極
２４…バスバー電極
Ｃ１１…第1太陽電池
Ｃ２１…第２太陽電池
Ｃ３１…第３太陽電池
Ｃ４１…第４太陽電池
Ｇ１…第１太陽電池群
Ｇ２…第２太陽電池群
Ｇ３…第３太陽電池群
Ｇ４…第４太陽電池群
【図１】
2008270619.tif 000003
【図２】
2008270619.tif 000004
【図３】
2008270619.tif 000005
【図４】
2008270619.tif 000006
【図５】
2008270619.tif 000007